【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  記録媒体に対して記録ヘッドを相対的に走査させながらインクを吐出して記録を行うインクジェット記録方法であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌの長さ（ａ：正の整数）離れていることを特徴とするインクジェット記録方法。
【請求項２】  記録媒体に対して記録ヘッドを相対的に走査させながらインクを吐出して記録を行うインクジェット記録方法であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌの長さ（ａ：正の整数）離れていることを特徴とするインクジェット記録方法。
【請求項３】  記録媒体に対して記録ヘッドを相対的に走査させながらインクを吐出して記録を行うインクジェット記録方法であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌより大きく（ｍ＋ａ＋１）×Ｌより小さい長さ（ａ：正の整数）離れていることを特徴とするインクジェット記録方法。
【請求項４】  記録媒体に対して記録ヘッドを相対的に走査させながらインクを吐出して記録を行うインクジェット記録方法であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌより大きく（ｍ＋ａ＋１）×Ｌより小さい長さ（ａ：正の整数）離れていることを特徴とするインクジェット記録方法。
【請求項５】  第１の種類のインクを吐出する複数の吐出口からなる第１の吐出口列と、前記第１の種類のインクとは異なる第２の種類のインクを吐出する複数の吐出口からなる第２の吐出口列とを有する記録ヘッドを用い、該記録ヘッドから記録媒体にインクを吐出して記録を行なうインクジェット記録方法であって、
前記第１または第２の吐出口列の少なくとも一方を、当該吐出口列の吐出口配列長さについて分割した長さ分の記録媒体の搬送を挟んで複数回走査させ、前記分割した長さ分に対応する走査領域に異なる吐出口を対応付けてその領域の記録を完成する記録を行ない、
該記録において、前記第１の吐出列により前記第１の種類のインクを用いた第１画像の記録を完成し、次に、前記第１の吐出口列により完成した前記第１画像に隣接して前記第２の吐出口列により前記第２の種類のインクを用いた第２画像の記録を完成するとき、前記第１画像の記録を完成する走査と前記第２画像の記録にかかる最初の走査との間に、前記第１画像が記録された領域に対して記録が行われない走査が存在することを特徴とするインクジェット記録方法。
【請求項６】  前記第１の吐出口列で画像を完成させる前記ｍ回の走査の各走査の後に記録媒体を搬送する量と、前記第２の吐出口列で画像を完成させる前記ｎ回の走査の各走査の後に記録媒体を搬送する量が等しいことを特徴とする請求項１ないし４のいずれかに記載のインクジェット記録方法。
【請求項７】  前記第１の吐出口列で画像を完成させる前記ｍ回の走査の各走査の後に記録媒体を搬送する量と、前記第２の吐出口列で画像を完成させる前記ｎ回の走査の各走査の後に記録媒体を搬送する量が異なることを特徴とする請求項１ないし４のいずれかに記載のインクジェット記録方法。
【請求項８】  前記第１の吐出口列で画像を完成させる前記ｍ回の走査の各走査の後に記録媒体を搬送する量は、前記第２の吐出口列で画像を完成させる前記ｎ回の走査の各走査の後に記録媒体を搬送する量より多いことを特徴とする請求項７に記載のインクジェット記録方法。
【請求項９】  前記第１の吐出口列の長さと前記第２の吐出口列の長さが等しいことを特徴とする請求項１から５のいずれかに記載のインクジェット記録方法。
【請求項１０】  前記第１の吐出口列の長さと前記第２の吐出口列の長さが異なることを特徴とする請求項１から５のいずれかに記載のインクジェット記録方法。
【請求項１１】  前記第１の吐出口列の長さが、前記第２の吐出口列の長さよりも長いことを特徴とする請求項１０に記載のインクジェット記録方法。
【請求項１２】  前記第１の吐出口列から吐出するインクのブリストウ法におけるＫａ値が第２の吐出口列から吐出するインクのブリストウ法におけるＫａ値よりも小さいことを特徴とする請求項１から１１のいずれかに記載のインクジェット記録方法。
【請求項１３】  前記第１の吐出口列は、ブラックのインクを吐出することを特徴とする請求項１から１２のいずれかに記載のインクジェット記録方法。
【請求項１４】  前記第２の吐出口列は、カラーのインクを吐出することを特徴とする請求項１から１３のいずれかに記載のインクジェット記録方法。
【請求項１５】  前記カラーのインクは、少なくともシアン、マゼンタ、イエローのいずれかであることを特徴とする請求項１４に記載のインクジェット記録方法。
【請求項１６】  それぞれ複数の吐出口を備える第１の吐出口列と第２の吐出口列とを備えた記録ヘッドを記録媒体に対して走査させて記録を行うインクジェット記録方法であって、
前記記録ヘッドを走査させて前記記録媒体上の所定領域を前記第１の吐出口列により記録を行う工程、
前記記録ヘッドを走査させて前記第１の吐出口列により記録された前記所定領域を前記第２の吐出口列により記録を行う工程、
前記記録ヘッドの走査と走査の間で前記記録媒体を前記所定領域の幅だけ搬送する工程、
前記第１の吐出口列により記録を行うときと前記第２の吐出口列により記録を行うときの少なくとも一方において前記記録ヘッドを複数回走査させる工程とを有し、
前記第１の吐出口列により記録を行うときの前記記録ヘッドの前記所定領域に対する最後の走査と前記第２の吐出口列により記録を行うときの前記記録ヘッドの前記所定領域に対する最初の走査との間に記録を行わない前記記録ヘッドの走査が介在することを特徴とするインクジェット記録方法。
【請求項１７】  記録媒体に対して記録ヘッドを相対的に走査させながらインクを吐出して記録を行うインクジェット記録装置であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌの長さ（ａ：正の整数）離れていることを特徴とするインクジェット記録装置。
【請求項１８】  記録媒体に対して記録ヘッドを相対的に走査させながらインクを吐出して記録を行うインクジェット記録装置であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌの長さ（ａ：正の整数）離れていることを特徴とするインクジェット記録装置。
【請求項１９】  記録媒体に対して記録ヘッドを相対的に走査させながらインクを吐出して記録を行うインクジェット記録装置であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌより大きく（ｍ＋ａ＋１）×Ｌより小さい長さ（ａ：正の整数）離れていることを特徴とするインクジェット記録装置。
【請求項２０】  記録媒体に対して記録ヘッドを相対的に走査させながらインクを吐出して記録を行うインクジェット記録装置であって、
前記記録ヘッドは、前記走査の方向とは異なる方向に配列した複数のインク吐出口を備える吐出口列を少なくとも２種類備え、
前記少なくとも２種類の吐出口列のうち、使用すべく設定されている第１の吐出口列で画像を完成させる前記走査の回数がｍ（ｍ：正の整数）、使用すべく設定されている第２の吐出口列で画像を完成させる前記走査の回数がｎ（ｎ：正の整数）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌより大きく（ｍ＋ａ＋１）×Ｌより小さい長さ（ａ：正の整数）離れていることを特徴とするインクジェット記録装置。
【請求項２１】  第１の種類のインクを吐出する複数の吐出口からなる第１の吐出口列と、前記第１の種類のインクとは異なる第２の種類のインクを吐出する複数の吐出口からなる第２の吐出口列とを有する記録ヘッドを用い、該記録ヘッドから記録媒体にインクを吐出して記録を行なうインクジェット記録装置であって、
前記第１または第２の吐出口列の少なくとも一方を、当該吐出口列の吐出口配列長さについて分割した長さ分の記録媒体の搬送を挟んで複数回走査させ、前記分割した長さ分に対応する走査領域に異なる吐出口を対応付けてその領域の記録を完成する記録を行ない、
該記録において、前記第１の吐出列により前記第１の種類のインクを用いた第１画像の記録を完成し、次に、前記第１の吐出口列により完成した前記第１画像に隣接して前記第２の吐出口列により前記第２の種類のインクを用いた第２画像の記録を完成するとき、前記第１画像の記録を完成する走査と前記第２画像の記録にかかる最初の走査との間に、前記第１画像が記録された領域に対して記録が行われない走査が存在することを特徴とするインクジェット記録装置。
【請求項２２】  前記第１の吐出口列で画像を完成させる前記ｍ回の走査の各走査の後に記録媒体を搬送する量と、前記第２の吐出口列で画像を完成させる前記ｎ回の走査の各走査の後に記録媒体を搬送する量が等しいことを特徴とする請求項１７ないし２０のいずれかに記載のインクジェット記録装置。
【請求項２３】  前記第１の吐出口列で画像を完成させる前記ｍ回の走査の各走査の後に記録媒体を搬送する量と、前記第２の吐出口列で画像を完成させる前記ｎ回の走査の各走査の後に記録媒体を搬送する量が異なることを特徴とする請求項１７ないし２０のいずれかに記載のインクジェット記録装置。
【請求項２４】  前記第１の吐出口列で画像を完成させる前記ｍ回の走査の各走査の後に記録媒体を搬送する量は、前記第２の吐出口列で画像を完成させる前記ｎ回の走査の各走査の後に記録媒体を搬送する量より多いことを特徴とする請求項２３に記載のインクジェット記録装置。
【請求項２５】  前記第１の吐出口列の長さと前記第２の吐出口列の長さが等しいことを特徴とする請求項１７から２１のいずれかに記載のインクジェット記録装置。
【請求項２６】  前記第１の吐出口列の長さと前記第２の吐出口列の長さが異なることを特徴とする請求項１７から２１のいずれかに記載のインクジェット記録装置。
【請求項２７】  前記第１の吐出口列の長さが、前記第２の吐出口列の長さよりも長いことを特徴とする請求項２６に記載のインクジェット記録装置。
【請求項２８】  前記第１の吐出口列から吐出するインクのブリストウ法におけるＫａ値が第２の吐出口列から吐出するインクのブリストウ法におけるＫａ値よりも小さいことを特徴とする請求項１７から２７のいずれかに記載のインクジェット記録装置。
【請求項２９】  前記第１の吐出口列は、ブラックのインクを吐出することを特徴とする請求項１７から２８のいずれかに記載のインクジェット記録装置。
【請求項３０】  前記第２の吐出口列は、カラーのインクを吐出することを特徴とする請求項１７から２９のいずれかに記載のインクジェット記録装置。
【請求項３１】  前記カラーのインクは、少なくともシアン、マゼンタ、イエローのいづれかであることを特徴とする請求項３０に記載のインクジェット記録装置。
【請求項３２】  それぞれ複数の吐出口を備える第１の吐出口列と第２の吐出口列とを備えた記録ヘッドを記録媒体上の所定領域を前記第１の吐出口列により記録を行う第１の記録走査と、
前記記録ヘッドを走査させて前記第１の吐出口列により記録された前記所定領域を前記第２の吐出口列により記録を行う第２の記録走査と、
前記記録ヘッドの走査と走査の間で前記記録媒体を前記所定領域の幅だけ搬送する搬送動作とによって前記記録媒体に記録を行うインクジェット記録装置であって、
前記第１の記録走査と前記第２の記録走査の少なくとも一方を複数回行い、
前記第１の吐出口列により記録を行うときの前記記録ヘッドの前記所定領域に対する最後の走査と前記第２の吐出口列により記録を行うときの前記記録ヘッドの前記所定領域に対する最初の走査との間に記録を行わない前記記録ヘッドの走査が介在することを特徴とするインクジェット記録装置。
【手続補正２】
【補正対象書類名】明細書
【補正対象項目名】００２６
【補正方法】変更
【補正の内容】
【００２６】
さらに他の形態では、第１の種類のインクを吐出する複数の吐出口からなる第１の吐出口列と、前記第１の種類のインクとは異なる第２の種類のインクを吐出する複数の吐出口からなる第２の吐出口列とを有する記録ヘッドを用い、該記録ヘッドから記録媒体にインクを吐出して記録を行なうインクジェット記録方法であって、前記第１または第２の吐出口列の少なくとも一方を、当該吐出口列の吐出口配列長さについて分割した長さ分の記録媒体の搬送を挟んで複数回走査させ、前記分割した長さ分に対応する走査領域に異なる吐出口を対応付けてその領域の記録を完成する記録を行ない、該記録において、前記第１の吐出列により前記第１の種類のインクを用いた第１画像の記録を完成し、次に、前記第１の吐出口列により完成した前記第１画像に隣接して前記第２の吐出口列により前記第２の種類のインクを用いた第２画像の記録を完成するとき、前記第１画像の記録を完成する走査と前記第２画像の記録にかかる最初の走査との間に、前記第１画像が記録された領域に対して記録が行われない走査が存在することを特徴とする。
さらに他の形態では、それぞれ複数の吐出口を備える第１の吐出口列と第２の吐出口列とを備えた記録ヘッドを記録媒体に対して走査させて記録を行うインクジェット記録方法であって、前記記録ヘッドを走査させて前記記録媒体上の所定領域を前記第１の吐出口列により記録を行う工程、前記記録ヘッドを走査させて前記第１の吐出口列により記録された前記所定領域を前記第２の吐出口列により記録を行う工程、前記記録ヘッドの走査と走査の間で前記記録媒体を前記所定領域の幅だけ搬送する工程、前記第１の吐出口列により記録を行うときと前記第２の吐出口列により記録を行うときの少なくとも一方において前記記録ヘッドを複数回走査させる工程とを有し、前記第１の吐出口列により記録を行うときの前記記録ヘッドの前記所定領域に対する最後の走査と前記第２の吐出口列により記録を行うときの前記記録ヘッドの前記所定領域に対する最初の走査との間に記録を行わない前記記録ヘッドの走査が介在することを特徴とする。
【手続補正３】
【補正対象書類名】明細書
【補正対象項目名】００３１
【補正方法】変更
【補正の内容】
【００３１】
さらに他の形態では、第１の種類のインクを吐出する複数の吐出口からなる第１の吐出口列と、前記第１の種類のインクとは異なる第２の種類のインクを吐出する複数の吐出口からなる第２の吐出口列とを有する記録ヘッドを用い、該記録ヘッドから記録媒体にインクを吐出して記録を行なうインクジェット記録装置であって、前記第１または第２の吐出口列の少なくとも一方を、当該吐出口列の吐出口配列長さについて分割した長さ分の記録媒体の搬送を挟んで複数回走査させ、前記分割した長さ分に対応する走査領域に異なる吐出口を対応付けてその領域の記録を完成する記録を行ない、該記録において、前記第１の吐出列により前記第１の種類のインクを用いた第１画像の記録を完成し、次に、前記第１の吐出口列により完成した前記第１画像に隣接して前記第２の吐出口列により前記第２の種類のインクを用いた第２画像の記録を完成するとき、前記第１画像の記録を完成する走査と前記第２画像の記録にかかる最初の走査との間に、前記第１画像が記録された領域に対して記録が行われない走査が存在することを特徴とする。
さらに他の形態では、それぞれ複数の吐出口を備える第１の吐出口列と第２の吐出口列とを備えた記録ヘッドを記録媒体上の所定領域を前記第１の吐出口列により記録を行う第１の記録走査と、前記記録ヘッドを走査させて前記第１の吐出口列により記録された前記所定領域を前記第２の吐出口列により記録を行う第２の記録走査と、前記記録ヘッドの走査と走査の間で前記記録媒体を前記所定領域の幅だけ搬送する搬送動作とによって前記記録媒体に記録を行うインクジェット記録装置であって、前記第１の記録走査と前記第２の記録走査の少なくとも一方を複数回行い、前記第１の吐出口列により記録を行うときの前記記録ヘッドの前記所定領域に対する最後の走査と前記第２の吐出口列により記録を行うときの前記記録ヘッドの前記所定領域に対する最初の走査との間に記録を行わない前記記録ヘッドの走査が介在することを特徴とする。